(57)【要約】【課題】  眼鏡の形状を変更して眼鏡装用者の好みやファションセンスを満たすことができる眼鏡装飾物品を提供すること。【解決手段】  眼鏡２００に着脱可能に取り付けられる眼鏡装飾物品１００であって、眼鏡における眼鏡フレーム２０１の少なくとも一部の形状に沿う形状を備えた飾り部１０１と、この飾り部から延びる一対の延長部分１０２、１０５と、上記眼鏡のレンズ２０９を通しての視覚に影響を及ぼさずに、飾り部１０１を眼鏡フレーム２０１に磁力により着脱可能に結合させるために、延長部分１０２、１０５の各々に設置された磁石１０４、１０７とを有するものである。【選択図】            図３
2006113549.tif 000002
【特許請求の範囲】
【請求項１】
眼鏡に着脱可能に取り付けられる眼鏡装飾物品であって、
上記眼鏡における眼鏡フレームの少なくとも一部の形状に沿う形状を備えた飾り部と、
この飾り部から延びる少なくとも一対の延長部分と、
上記眼鏡のレンズを通しての視覚に影響を及ぼさずに、上記飾り部を上記眼鏡フレームに磁力により着脱可能に結合させるために、前記延長部分の各々に設置された磁石と、を有することを特徴とする眼鏡装飾物品。
【請求項２】
眼鏡に着脱可能に取り付けられる眼鏡装飾物品であって、
上記眼鏡における眼鏡フレームの少なくとも一部の形状に沿う形状を備えた飾り部と、
この飾り部から延びる少なくとも一対の延長部分と、
この延長部分に設けられた一対の止め具と、
上記眼鏡のレンズを通しての視覚に影響を及ぼさずに、当該眼鏡の磁石または磁性体部分と磁力により結合するために、上記延長部分の上記止め具内に設けられた磁石と、を有することを特徴とする眼鏡装飾物品。
【請求項３】
上記一対の延長部分は、飾り部の反対側端部から延在して形成されたことを特徴とする請求項１または２に記載の眼鏡装飾物品。
【請求項４】
上記一対の延長部分は、前記飾り部の略中央位置におけるブリッジ部分から延在して形成されたことを特徴とする請求項１または２に記載の眼鏡装飾物品。
【請求項５】
上記一対の延長部分は、眼鏡のブリッジ部の周りで屈曲可能に構成されたことを特徴とする請求項４に記載の眼鏡装飾物品。
【請求項６】
前記磁石は、飾り部における一対の延長部分の各々の先端部に設置されたことを特徴とする請求項５に記載の眼鏡装飾物品。
【請求項７】
上記一対の延長部分は、眼鏡の一部をそれらの間に受け入れるために、二股形状に形成されたことを特徴とする請求項３に記載の眼鏡装飾物品。
【請求項８】
上記一対の延長部分は、眼鏡への取付時に当該眼鏡の対応する部分の下方に位置づけられることを特徴とする請求項３に記載の眼鏡装飾物品。
【請求項９】
上記一対の延長部分は、眼鏡への取付時に当該眼鏡の対応する部分の後方に位置づけられることを特徴とする請求項３に記載の眼鏡装飾物品。
【請求項１０】
上記一対の延長部分は、眼鏡への取付時に当該眼鏡の対応する部分の上方に位置づけられることを特徴とする請求項３に記載の眼鏡装飾物品。
【請求項１１】
一対の延長部分のそれぞれは、眼鏡への取付時に当該眼鏡の対応する部分の下方または上方に選択して位置づけられることを特徴とする請求項３乃至５のいずれかに記載の眼鏡装飾物品。
【請求項１２】
上記飾り部から延在する一対の延長部分のそれぞれに設けられた各磁石は、互いに、上面と下面の磁極の正負が反対に設定されたことを特徴とする請求項１１に記載の眼鏡装飾物品。
【請求項１３】
上記飾り部は、眼鏡における眼鏡フレームのブリッジ部を境とする一方及び他方の形状に沿って個別に形成され、これらの各分割飾り部の反対側端部に延長部分が延在して形成されたことを特徴とする請求項３、４または１１に記載の眼鏡装飾物品。
【請求項１４】
上記飾り部は、眼鏡のレンズ面に対して突出する庇を備えて構成されたことを特徴とする請求項３、４、５または１１に記載の眼鏡装飾物品。
【請求項１５】
上記飾り部は、眼鏡の眼鏡フレームにおける眉側部分の形状に沿って形成されたことを特徴とする請求項３乃至１４のいずれかに記載の眼鏡装飾物品。
【請求項１６】
上記飾り部は、眼鏡の眼鏡フレームにおける頬側部分の形状に沿って形成されたことを特徴とする請求項３乃至１４のいずれかに記載の眼鏡装飾物品。
【請求項１７】
２つの反対側端部及び１つのブリッジ部を有する眼鏡フレームと、
この眼鏡フレーム内に取り付けられて支持される一対のレンズと、
上記眼鏡フレームの上記各端部と上記ブリッジ部の少なくとも一方に設けられた複数の磁石とを有する眼鏡であって、
請求項１乃至１６のいずれかに記載の眼鏡装飾物品の延長部分に設けられた磁石が、上記眼鏡フレームの磁石に磁力により結合されることで、上記眼鏡装飾物品が取り付けられたことを特徴とする眼鏡装飾物品を備えた眼鏡。
【請求項１８】
上記眼鏡装飾品の飾り部が眼鏡フレームの眉側部分と頬側部分の少なくとも一方に装着されることを特徴とする請求項１７に記載の眼鏡装飾物品を備えた眼鏡。
【発明の詳細な説明】
【技術分野】
【０００１】
本発明は、磁石を備えた取り外し可能な眼鏡装飾物品及びこの眼鏡装飾物品を備えた眼鏡に係り、特に、レンズを備えず、眼鏡フレームに容易に取り付け取り外し可能な飾り部を有する眼鏡装飾物品及びこの眼鏡装飾物品を備えた眼鏡に関する。
【背景技術】
【０００２】
近年の眼鏡には、眼鏡フレームが金属から作られていようと、またはプラスチックから作られていようと、特許文献１及び２に記載のように、磁石などの結合手段を用いて、一対の補助的なサングラスが取り付けられるようにしたものがある。眼鏡と補助的なサングラスとの結合は、磁気的クリップ式またはフック式の結合方式であり、非常によく知られており、且つ一般的な方法であって、眼鏡を変化させずに当該眼鏡をサングラスに変更するために使用されてきたものである。このような結合方式を備えた補助的なサングラスを、眼鏡装用者は眼鏡の前に簡単に取り付けることができる（以下、眼鏡の前面に取り付ける補助的なレンズを備えたフレームを「前掛けフレーム」ともいう）。
【特許文献１】実開昭５７−１８４９１０号公報
【特許文献２】実開平２−１０９３２５号公報
【発明の開示】
【発明が解決しようとする課題】
【０００３】
ところが、眼鏡に取り付けられる前掛けフレームは、多くの場合サングラスであり、ベースとなる眼鏡に適合させるとともに、眼鏡としての機能を損なわないようにする必要から形状が限定されてしまう。例えば、眼鏡のレンズに前掛けフレームのレンズを丁度重ねて配置する必要から、その構成、形状、取り付け位置等が限定されてしまい、形状やデザインの自由度は低かった。
【０００４】
本発明の目的は、上述の事情を考慮してなされたものであり、眼鏡の形状を変更して眼鏡装用者の好みやファションセンスを満たすことができる眼鏡装飾物品及びこの眼鏡装飾物品を備えた眼鏡を提供することにある。
【課題を解決するための手段】
【０００５】
請求項１に記載の発明は、眼鏡に着脱可能に取り付けられる眼鏡装飾物品であって、上記眼鏡における眼鏡フレームの少なくとも一部の形状に沿う形状を備えた飾り部と、この飾り部から延びる少なくとも一対の延長部分と、上記眼鏡のレンズを通しての視覚に影響を及ぼさずに、上記飾り部を上記眼鏡フレームに磁力により着脱可能に結合させるために、前記延長部分の各々に設置された磁石と、を有することを特徴とするものである。
【０００６】
請求項２に記載の発明は、眼鏡に着脱可能に取り付けられる眼鏡装飾物品であって、上記眼鏡における眼鏡フレームの少なくとも一部の形状に沿う形状を備えた飾り部と、この飾り部から延びる少なくとも一対の延長部分と、この延長部分に設けられた一対の止め具と、上記眼鏡のレンズを通しての視覚に影響を及ぼさずに、当該眼鏡の磁石または磁性体部分と磁力により結合するために、上記延長部分の上記止め具内に設けられた磁石と、を有することを特徴とするものである。
【０００７】
請求項３に記載の発明は、請求項１または２に記載の発明において、上記一対の延長部分は、飾り部の反対側端部から延在して形成されたことを特徴とするものである。
【０００８】
請求項４に記載の発明は、請求項１または２に記載の発明において、上記一対の延長部分は、前記飾り部の略中央位置におけるブリッジ部分から延在して形成されたことを特徴とするものである。
【０００９】
請求項５に記載の発明は、請求項４に記載の発明において、上記一対の延長部分は、眼鏡のブリッジ部の周りで屈曲可能に構成されたことを特徴とするものである。
【００１０】
請求項６に記載の発明は、請求項５に記載の発明において、前記磁石は、飾り部における一対の延長部分の各々の先端部に設置されたことを特徴とするものである。
【００１１】
請求項７に記載の発明は、請求項３に記載の発明において、上記一対の延長部分は、眼鏡の一部をそれらの間に受け入れるために、二股形状に形成されたことを特徴とするものである。
【００１２】
請求項８に記載の発明は、請求項３に記載の発明において、上記一対の延長部分は、眼鏡への取付時に当該眼鏡の対応する部分の下方に位置づけられることを特徴とするものである。
【００１３】
請求項９に記載の発明は、請求項３に記載の発明において、上記一対の延長部分は、眼鏡への取付時に当該眼鏡の対応する部分の後方に位置づけられることを特徴とするものである。
【００１４】
請求項１０に記載の発明は、請求項３に記載の発明において、上記一対の延長部分は、眼鏡への取付時に当該眼鏡の対応する部分の上方に位置づけられることを特徴とするものである。
【００１５】
請求項１１に記載の発明は、請求項３乃至５のいずれかに記載の発明において、一対の延長部分のそれぞれは、眼鏡への取付時に当該眼鏡の対応する部分の下方または上方に選択して位置づけられることを特徴とするものである。
【００１６】
請求項１２に記載の発明は、請求項１１に記載の発明において、上記飾り部から延在する一対の延長部分のそれぞれに設けられた各磁石は、互いに、上面と下面の磁極の正負が反対に設定されたことを特徴とするものである。
【００１７】
請求項１３に記載の発明は、請求項３、４または１１に記載の発明において、上記飾り部は、眼鏡における眼鏡フレームのブリッジ部を境とする一方及び他方の形状に沿って個別に形成され、これらの各分割飾り部の反対側端部に延長部分が延在して形成されたことを特徴とするものである。
【００１８】
請求項１４に記載の発明は、請求項３、４、５または１１に記載の発明において、上記飾り部は、眼鏡のレンズ面に対して突出する庇を備えて構成されたことを特徴とするものである。
【００１９】
請求項１５に記載の発明は、請求項３乃至１４のいずれかに記載の発明において、上記飾り部は、眼鏡の眼鏡フレームにおける眉側部分の形状に沿って形成されたことを特徴とするものである。
【００２０】
請求項１６に記載の発明は、請求項３乃至１４のいずれかに記載の発明において、上記飾り部は、眼鏡の眼鏡フレームにおける頬側部分の形状に沿って形成されたことを特徴とするものである。
【００２１】
請求項１７に記載の発明に係る眼鏡装飾物品を備えた眼鏡は、２つの反対側端部及び１つのブリッジ部を有する眼鏡フレームと、この眼鏡フレーム内に取り付けられて支持される一対のレンズと、上記眼鏡フレームの上記各端部と上記ブリッジ部の少なくとも一方に設けられた複数の磁石とを有する眼鏡であって、請求項１乃至１６のいずれかに記載の眼鏡装飾物品の延長部分に設けられた磁石が、上記眼鏡フレームの磁石に磁力により結合されることで、上記眼鏡装飾物品が取り付けられたことを特徴とするものである。
【００２２】
請求項１８に記載の発明は、請求項１７に記載の発明において、上記眼鏡装飾品の飾り部が眼鏡フレームの眉側部分と頬側部分の少なくとも一方に装着されることを特徴とするものである。
【発明の効果】
【００２３】
請求項１乃至１０のいずれか、または請求項１５乃至１９のいずれかに記載の発明によれば、眼鏡に着脱可能な、磁石付きの眼鏡装飾物品が提供されている。この眼鏡装飾物品は、外観が眼鏡フレームと似ているかまたは異なり、且つレンズが取り付けられることがない飾り部を備え、この飾り部に磁石が設置される。磁石を備えることがある眼鏡フレームとレンズとからなる眼鏡は、当該眼鏡に着脱可能な上記眼鏡装飾物品を装着して使用される。
【００２４】
そして、本発明では、眼鏡装飾物品を眼鏡の眼鏡フレームの前に配置して、その眼鏡のデザインパターンを変化させることにより、眼鏡の外観を美的に変化させて、眼鏡に最新の流行を与えることができる。従って、この眼鏡装飾物品の飾り部は、眼鏡装用者の毎日のファションスタイルに適合するように、様々な処方または色彩で作製される。本発明の眼鏡装飾物品は、レンズを備えた通常の眼鏡と共に使用されるものであり、それだけで単独に使用されるものではない。
【００２５】
請求項１１に記載の発明によれば、一対の延長部分のそれぞれが、眼鏡への取付時に当該眼鏡の対応する部分の下方または上方に選択して位置づけられること
から、眼鏡装飾物品の飾り部を眼鏡フレームに対して重なるように配置したり、高さを変えて配置したり、斜めに配置したりすることができる。このため、眼鏡の印象を異なるものに変更することができ、眼鏡装用者の好みやファションセンスを満たすことができる。
【００２６】
請求項１２に記載の発明によれば、飾り部から延在する一対の延長部分のそれぞれに設けられた各磁石は、互いに、上面と下面の磁極の正負が反対に設定されている。このことから、眼鏡フレームの一対の結合部分にそれぞれ設けられた各磁石の、上面と下面における磁極の正負を調整することで、眼鏡装飾物品の眼鏡への取付時に、眼鏡装飾物品の延長部分における磁石の上面または下面を、眼鏡フレームの結合部分における磁石の下面または上面に磁力により選択的に結合して位置づけることができる。
【００２７】
請求項１３に記載の発明によれば、飾り部が、眼鏡における眼鏡フレームのブリッジ部を境とする一方及び他方の形状に沿って個別に形成され、これらの各分割飾り部の反対側端部に延長部分が延在して形成されたことから、左右の各分割飾り部において色彩やデザインを異ならせることで、眼鏡装飾物品が取り付けられた眼鏡に多彩なバリエーションを付与することができる。更に、上記各分割飾り部を個別に、眼鏡フレームに対して重なるように配置したり、高さを変えて配置したり、斜めに配置したりすることで、眼鏡に更に異なった印象を与えることができ、眼鏡装用者の好みやファションセンスを満たすことができる。
【００２８】
請求項１４に記載の発明によれば、飾り部は、眼鏡のレンズ面に対して突出する庇を備えて構成されたことから、この飾り部を眼鏡フレームの眉側に装着することで、上方から照射される太陽光を遮光することができ、また、上記飾り部を眼鏡フレームの頬側に装着することで、例えば雪面から反射される太陽光を遮光することができる。
【発明を実施するための最良の形態】
【００２９】
以下、本発明を実施するための最良の形態を、図面に基づき説明する。
〔Ａ〕第１の実施の形態
図１は、本発明に係る眼鏡装飾物品の第１の実施の形態を示す。
この眼鏡装飾物品１００は、図２に示す眼鏡２００の眼鏡フレーム２０１におけるフロント部（ブリッジ、リム、智などからなる部分）と似ている飾り部１０１、即ち眼鏡フレーム２０１の眉側部分を含む略上半部分の形状に沿う形状の飾り部１０１を有する。この飾り部１０１の２つの反対側端部から一対の延長部分１０２、１０５が後方へ延び、それぞれの延長部分１０２、１０５の内側に止め金具１０３、１０６が固定され、それぞれの止め金具１０３、１０６に磁石１０４、１０７が埋め込まれる。これらの磁石１０４、１０７は、眼鏡装飾物品１００が眼鏡２００に取り付けられた際に、この眼鏡２００のレンズ２０９を通しての視覚に影響を及ぼさずに、眼鏡２００の後述の磁石２０４、２０７に磁力によって結合される。
【００３０】
図２に示す眼鏡２００は、眼鏡フレーム２０１と、この眼鏡フレーム２０１内に取り付けられて支持された一対のレンズ２０９とからなる。眼鏡フレーム２０１は、前記一対のレンズ２０９をそれぞれ支持する一対のリムと、前記一対のリムの両内側を接続するブリッジと、前記一対のリムの両外側（反対側端部）に位置する智２０２、２０５と、この智に丁番を介して接続されるテンプル（側部）とからなる。各智２０２、２０５のそれぞれの内側に止め金具２０３、２０６が固定され、これら止め金具２０３、２０６のそれぞれに、眼鏡装飾物品１００を支持するための磁石２０４、２０７が埋め込まれる。これらの磁石２０４、２０７は、円板形状あるいは円柱形状（例えば直径３ｍｍ×高さ１ｍｍ）であることが好ましく、両端面（上面及び下面）に別の磁石（眼鏡装飾物品１００の磁石１０４、１０７）を磁力により吸着する。
【００３１】
眼鏡装飾物品１００の飾り部１０１は、例えば金属またはプラスチック材料から構成され、任意の色彩が施される。眼鏡装飾物品１００の飾り部１０１が眼鏡２００の眼鏡フレーム２０１の前に配置され、眼鏡装飾物品１００の延長部分１０２、１０５に設けられた磁石１０４、１０７が、眼鏡２００の智２０２、２０５に設けられた磁石２０４、２０７に磁力によって結合されて、眼鏡装飾物品１００が眼鏡２００に、図３及び図４に示すように着脱可能に取り付けられる。この眼鏡装飾物品１００の取り付け状態では、眼鏡２００の智２０２、２０５の下方に眼鏡装飾物品１００の延長部分１０２、１０５が位置づけられる。このように、眼鏡装飾物品１００が眼鏡２００の眼鏡フレーム２０１に装着されることによって、この眼鏡２００の眼鏡フレーム２０１の外観が変更されて、眼鏡装用者の好みやファションセンスが満たされる。
【００３２】
尚、眼鏡フレーム２０１の智２０２、２０５の内側に、磁石２０４、２０７を設けずに磁性体で構成された部分を設け、眼鏡装飾物品１００の磁石１０４、１０７が上記磁性体部分に磁力により結合されることにより、眼鏡装飾物品１００が眼鏡に着脱可能に取り付けられてもよい。
【００３３】
〔Ｂ〕第２の実施の形態
図５及び図６は、本発明に係る眼鏡装飾物品の第２の実施の形態を示す。
前記第１の実施の形態においても眼鏡装飾物品１００が取り付けられる眼鏡２００の眼鏡フレーム２０１は金属に限定されないが、これらの図５（Ａ）、（Ｂ）、（Ｃ）及び図６に示す第２の実施の形態の眼鏡装飾物品６００は、プラスチック製の眼鏡フレーム５０１にレンズが取り付けられている眼鏡５００に取り付けたものである。
【００３４】
この眼鏡フレーム５０１の智５０２、５０４に、それぞれスリット５０３，５０５を設け、このスリット５０３、５０５の内面に磁石５０６，５０７が埋め込まれる。
眼鏡装飾物品６００は、飾り部６０１と、この飾り部６０１の左右両端からそれぞれ後方に伸びる延長部分６０３、６０５とからなる。飾り部６０１はシート状の金属からなり、眼鏡フレーム５０１のフロント部（リム及びブリッジ）の形状に沿う形状をしている。延長部分６０３、６０５は前記眼鏡フレームのスリット５０３，５０５に挿入可能な形状をしており、この延長部分６０３、６０５に磁石６０６、６０７を備えている。
【００３５】
この眼鏡５００に眼鏡装飾物品６００を取り付けるには、眼鏡装飾物品６００の各延長部分６０３、６０５を、眼鏡フレーム５０１のスリット５０３、５０５のそれぞれに前方から差し込み、眼鏡装飾物品６００の磁石６０６、６０７と、眼鏡フレーム５００の磁石５０６、５０７とがそれぞれ磁着されて、眼鏡装飾物品６００が眼鏡フレーム５０１に保持される。これにより、プラスチック製の眼鏡フレームの外観が、瞬時に金属製の眼鏡フレームの外観に変更される。
なお、眼鏡装飾物品６００の延長部分６０３,６０５に磁石を設けずに延長部分６０３,６０５を磁性体で構成し、この延長部分６０３,６０５が眼鏡フレーム５０１の磁石５０６，５０７の磁力により吸着されるようにしてもよい。この場合、延長部分６０３、６０５をより薄くでき、またスリット５０３、５０５の溝の幅をより狭くできる。
【００３６】
〔Ｃ〕第３の実施の形態
図７は、本発明に係る眼鏡装飾物品の第３の実施の形態を示す。
図７（Ａ）および（Ｂ）に示すように、眼鏡装飾物品７００は、眼鏡の眼鏡フレーム７０４の形状に沿う形状に形成された飾り部７０１を備える。この飾り部７０１の反対側の両端部に延長部分７０２、７０３が形成され、これらの延長部分７０２、７０３に第１の実施の形態と同様にして、止め金具を介して磁石（ともに図示せず）が設けられる。
眼鏡装飾物品７００は、飾り部７０１の延長部分７０２、７０３を眼鏡フレーム７０４の智７０５、７０６の下方に位置付けることによって、眼鏡装飾物品７００の磁石と眼鏡フレームの磁石との磁力により結合されて、眼鏡装飾物品７００が眼鏡に取り付けられる。この場合も、眼鏡装飾物品７００によって眼鏡の外観が変更される。
【００３７】
〔Ｄ〕第４の実施の形態
図８は、本発明に係る眼鏡装飾物品の第４の実施の形態を示す。
この図８（Ａ）、（Ｂ）および（Ｃ）に示すように、眼鏡装飾物品８００は、眼鏡の眼鏡フレーム８０７における上半部分の形状に沿った形状の飾り部８０１を有し、この飾り部８０１の反対側の両端部から、後方へ延び且つ互いに平行である一対の二股形状の延長部分８０２及び８０３と、他の一対の二股形状の延長部分８０４及び８０５が形成される。
前記一対の延長部分８０２、８０３間に隙間８１３が、他の一対の延長部分８０４、８０５間に隙間８１４がそれぞれ形成される。
【００３８】
より具体的に言えば、図８（Ｃ）に示すように、眼鏡装飾物品８００の飾り部８０１の上部延長部分８０２、８０４のそれぞれの内側に止め金具８１１が固定され、この止め金具８１１内に磁石８１２が埋め込まれている。眼鏡フレーム８０７の両端に設けられた智８０６、８１０の内側に止め金具８０８が固定され、この止め金具８０８内に磁石８０９が埋め込まれている。眼鏡装飾物品８００の一対の延長部分８０２、８０３間、他の一対の延長部分８０４、８０５間に眼鏡の智８０６、８１０をそれぞれ挿入し、眼鏡の磁石８０９と眼鏡装飾物品８００の磁石８１２とが磁力により結合されて、眼鏡装飾物品８００の飾り部８０１が眼鏡フレーム８０７に着脱可能に取り付けられて、眼鏡の外観が変更される。
【００３９】
〔Ｅ〕第５の実施の形態
図９は、本発明に係る眼鏡装飾物品の第５の実施の形態を示す。
この図９（Ａ）、（Ｂ）および（Ｃ）に示すように、眼鏡装飾物品３００は、眼鏡の眼鏡フレーム３１４の上部（眉側部分）の形状に沿う形状の飾り部３０１を有する。この飾り部３０１の反対側両端の延長部分３０２、３０４の底面に磁石３０６、３０８が埋め込まれている。一方、眼鏡フレーム３１４の反対側の両端部分の智３１０、３１２に磁石３１１、３１３が埋め込まれている。眼鏡装飾物品３００の眼鏡への取付時には、眼鏡装飾物品３００の延長部分３０２、３０４が眼鏡フレーム３１４の智３１０、３１２の上方に位置づけられる。このとき、眼鏡装飾物品３００の磁石３０６、３０８が眼鏡の磁石３１１、３１３の上面に磁力により結合されて、眼鏡装飾物品３００は眼鏡に着脱可能に取り付けられる。
【００４０】
ここで、眼鏡装飾物品３００の磁石３０６、３０８が眼鏡の磁石３１１、３１３上に位置していることは、図９（Ｃ）からわかる。また、眼鏡装飾物品３００の飾り部３０１におけるブリッジ部分３１８には階段状切欠き部分３１６が形成されて(図９(Ｄ))、眼鏡装飾物品３００の眼鏡の取付時に、上記階段状切欠き部分３１６が眼鏡フレーム３１４のブリッジ３２０上に載置されて係合されるよう構成される。これにより、眼鏡フレーム３１４に取り付けられる眼鏡装飾物品３００の飾り部３０１の支持安定性が高められる。
【００４１】
〔Ｆ〕第６の実施の形態
図１０は、本発明に係る眼鏡装飾物品の第６の実施の形態を示す。
この図１０（Ａ）、（Ｂ）、（Ｃ）および（Ｄ）に示すように、眼鏡装飾物品３５０は、眼鏡の眼鏡フレーム３６０における上部（眉側部分）の形状に沿った形状の飾り部３５１を有する。この飾り部３５１の反対側の両端部に一対の延長部分３５２、３５４が形成される。これらの延長部分３５２、３５４は、図１０（Ｃ）に示すように下方へ延びたものであり、前方に磁石３５６、３５８が露出して固定される。
【００４２】
眼鏡装飾物品３５０を眼鏡に取り付けた状態を下方から見た図１０（Ｄ）に示すように、眼鏡装飾物品３５０を眼鏡に取り付ける際には、この眼鏡装飾物品３５０の延長部分３５２、３５４を眼鏡フレーム３６０の両端における智（ヨロイ）３６２、３６４の後方に位置付ける。このとき、眼鏡装飾物品３５０の磁石３５６、３５８が、磁性体から構成された眼鏡の智３６２、３６４に磁力により結合されることで、眼鏡装飾物品３５０が眼鏡の眼鏡フレーム３６０の上部に着脱可能に取り付けられる。
なお、眼鏡フレーム３６０の智３６２，３６４の裏側に磁石を設けて、この磁石と眼鏡装飾物品３５０の磁石３５６，３５８とを磁力により結合するようにしてもよい。
【００４３】
〔Ｇ〕第７の実施の形態
図１１は、本発明に係る眼鏡装飾物品の第７の実施の形態を示す。
この図１１（Ａ）、（Ｂ）および（Ｃ）に示すように、眼鏡装飾物品３７０は、眼鏡の眼鏡フレーム３８２の上部（眉側部分）の形状に沿った形状の飾り部３７１を有する。この飾り部３７１の略中央部分におけるブリッジ部分３７２から一対の延長部分３７４、３７６が延在して形成され、各延長部分３７４、３７６の先端部に磁石３７８、３８０が設けられる。眼鏡装飾物品３７０を眼鏡フレーム３８２に取り付ける際には、眼鏡装飾物品３７０の延長部分３７４、３７６が、図１１（Ｃ）および（Ｄ）に示すように、眼鏡フレーム３８２の磁性体からなるブリッジ部分３８６の周りに矢印３８４の方向（眼鏡の後方）に曲げられ、これにより、延長部分３７４、３７６の先端の磁石３７８、３８０が、眼鏡フレーム３８２のブリッジ部分３８６に磁力によって吸着されることで、眼鏡装飾物品３７０が眼鏡フレーム３８２に着脱可能に取り付けられる。
【００４４】
〔Ｈ〕第８の実施の形態
図１２は、本発明に係る眼鏡装飾物品の第８の実施の形態を示す。
この図１２（Ａ）〜（Ｄ）に示すように、眼鏡装飾物品４００は、眼鏡の眼鏡フレーム４１２の上部（眉側部分）の形状に沿う形状の飾り部４０１を有し、この略中央位置にブリッジ部分４０２を備える。このブリッジ部分４０２から後方へ、図１２（Ｃ）に示すように、一対の延長部分４０４、４０６が延び、これらの延長部分４０４、４０６の下面に磁石４０８、４１０が露出して設置される。眼鏡装飾物品４００を眼鏡フレーム４１２に取り付ける際に、飾り部４０１における延長部分４０４、４０６の磁石４０８、４１０が、眼鏡フレーム４１２の磁性体からなるブリッジ部４１４に磁力によって吸着されて、眼鏡装飾物品４００が眼鏡フレーム４１２に着脱可能に取り付けられる。
【００４５】
また、第５の実施の形態（図９）において説明したように、眼鏡装飾物品４００の飾り部４０１におけるブリッジ部分４０２は、図１２（Ｄ）に示すように階段状段部４１６を備えた形状である。眼鏡装飾物品４００の眼鏡フレーム４１２への取付時に、ブリッジ部分４０２の階段状段部４１６が眼鏡フレーム４１２のブリッジ部４１４に載置されて係合されることで、眼鏡フレーム４１２に対する眼鏡装飾物品４００の支持安定性が高められる。
【００４６】
なお、上記第７及び第８の実施の形態において、眼鏡フレームのブリッジ部分に磁石を設けて、この磁石と眼鏡装飾物品の延長部分に設けた磁石とを磁力により結合するようにしてもよい。
【００４７】
〔Ｉ〕第９の実施の形態
図１３〜図１５は、本発明に係る眼鏡装飾物品の第９の実施の形態を示す。
図１３に示す眼鏡装飾物品１１００が取り付けられる眼鏡１０００は、図１４に示すように、眼鏡フレーム１００１と、この眼鏡フレーム１００１に取り付けられて支持される一対のレンズ１００２とからなる。前記眼鏡フレーム１００１は、レンズを保持する一対のリムと、この一対のリムの両内側を連結するブリッジ部１００４と、一対のリムの外側両端に設けられた智１００５、１００６と、この智１００５，１００６に丁番を介して連結されたテンプル１００３とを有して構成される。上記一対の智１００５、１００６の内側に止め金具１００７が固着され、これらの止め金具１００７に円板形状の磁石１００８、１００９がそれぞれ埋設されている。
【００４８】
これらの磁石１００８、１００９は互いに、上面と下面の磁極の正負が、眼鏡装飾物品１１００の磁石１１０４、１１０５における後述の磁極の正負に対応して反対に設定されている。例えば、磁石１００８は、上面が負極（Ｓ極）に、下面が正極（Ｎ極）にそれぞれ設定され、磁石１００９は、上面が正極（Ｎ極）に、下面が負極（Ｓ極）にそれぞれ設定されている。
【００４９】
図１３に示す眼鏡装飾物品１１００は、眼鏡フレーム１００１の上部（眉側部分）の形状に沿うが、この形状とは異なったデザインの飾り部１１０１を有する。この飾り部１１０１の反対側両端部から後方へ一対の延長部分１１０２、１１０３が延び、これらの延長部分１１０２、１１０３の先端に設けられた止め金具１１０６内に円板形状の磁石１１０４、１１０５がそれぞれ埋設されている。
【００５０】
これらの磁石１１０４、１１０５は互いに、上面と下面の磁極の正負が反対に設定されている。例えば、磁石１１０４は、上面が負極（Ｓ極）に、下面が正極（Ｎ極）にそれぞれ設定される。また、磁石１１０５は、上面が正極（Ｎ極）に、下面が負極（Ｓ極）にそれぞれ設定されている。また、これらの磁石１１０４及び１１０５は、眼鏡装飾物品１１００を眼鏡１０００の眼鏡フレーム１００１に取り付けた時に、レンズ１００２を通しての視覚に影響を及ぼさない位置に配設される。
【００５１】
上記眼鏡装飾物品１１００を眼鏡フレーム１００１の上部（眉側部分）に取り付ける際には、眼鏡装飾物品１１００の延長部分１１０２は、眼鏡フレーム１００１における智１００５の下方（図１５（Ａ））または上方（図１５（Ｂ））に選択して位置づけられ、また、延長部分１１０３は、眼鏡フレーム１００１における智１００６の下方（図１５（Ａ））または上方（図１５（Ｂ））に選択して位置付けられる。
【００５２】
眼鏡装飾物品１１００の延長部分１１０２、１１０３が眼鏡フレーム１００１の智１００５、１００６の下方にそれぞれ位置付けられる時には（図１５（Ａ））、眼鏡装飾物品１１００の磁石１１０４、１１０５の上面が眼鏡１０００の磁石１００８、１００９の下面にそれぞれ磁力により結合されて、眼鏡装飾物品１１００が眼鏡１０００の眼鏡フレーム１００１のリムの上部（眉側部分）に丁度重なるように着脱可能に取り付けられる。また、眼鏡装飾物品１１００の延長部分１１０２、１１０３が眼鏡フレーム１００１の智１００５、１００６の上方にそれぞれ位置付けられる時には（図１５（Ｂ））、眼鏡装飾物品１１００の磁石１１０４、１１０５の下面が眼鏡１０００の磁石１００８、１００９の上面にそれぞれ磁力により結合されて、眼鏡装飾物品１１００の飾り部１１０１が眼鏡フレーム１００１の上部（眉側部分）より高い位置に取り付けられる。これにより、眼鏡装飾物品１１００を備えた眼鏡１０００の外観上のフロント天地幅Ｈを、図１５(Ａ)の場合のフロント天地幅ｈよりも大きく変更できる。
なお、図１５(Ｂ)では、正面から見て眼鏡フレーム１００１の上部（眉側部分）と飾り部１１０１との間に空間が生じており、眼鏡のデザインに変化を与えている。
【００５３】
更に、例えば眼鏡装飾物品１１００の延長部分１１０２を眼鏡フレーム１００１の智１００５の下方に、眼鏡装飾物品１１００の延長部分１１０３を眼鏡フレーム１００１の智１００６の上方にそれぞれ位置付け、眼鏡装飾物品１１００の磁石１１０４の上面を眼鏡１０００の磁石１００８の下面に磁力により結合させ、眼鏡装飾物品１１００の磁石１１０５の下面を眼鏡１０００の磁石１００９の上面に磁力により結合させてもよい。この場合には、眼鏡装飾物品１１００が眼鏡１０００の眼鏡フレーム１００１に対して斜めに配置されて、着脱可能に取り付けられることになる。
【００５４】
上述のように、眼鏡フレーム１００１に対する眼鏡装飾物品１１００の飾り部１１０１の取り付け高さを変えたり、眼鏡装飾物品１１００を眼鏡フレーム１００１に対して斜めに配置してアシンメトリーなデザインを提供することにより、眼鏡装飾物品１１００を取り付けた眼鏡１０００の印象を異なったものに変更することができる。この結果、眼鏡装用者の好みやファションセンスを満足させることができる。
【００５５】
〔Ｊ〕第１０の実施の形態
図１６及び図１７は、本発明に係る眼鏡装飾物品の第１０の実施の形態を示す。
図１６に示す眼鏡装飾物品１２００が取り付けられる眼鏡１０２０は、図１７及び図１４に示すように、前記第９の実施の形態の眼鏡１０００の構成において、ブリッジ部１００４の内側両端に止め金具１０２１、１０２２が形成され、これらの止め金具１０２１、１０２２内に円板形状の磁石１０２３、１０２４が埋設される。その他、この眼鏡１０２０において、前記眼鏡１０００と同様な部分は、同一の符号を付すことにより説明を省略する。
【００５６】
眼鏡フレーム１００１の一方（左側）の端部の智１００５における磁石１００８と、ブリッジ部１００４において上記智１００５に近い側の止め金具１０２１における磁石１０２３とは、互いに、上面と下面の磁極の正負が、後述の左側分割飾り部１２０１の磁石の磁極の正負に対応して反対に設定されている。例えば、磁石１００８は、上面が負極（Ｓ極）に、下面が正極（Ｎ極）にそれぞれ設定される。また、磁石１０２３は、上面が正極（Ｎ極）に、下面が負極（Ｓ極）にそれぞれ設定されている。
【００５７】
眼鏡フレーム１００１の他方（右側）の端部の智１００６における磁石１００９と、ブリッジ部１００４において上記智１００６に近い側の止め金具１０２２における磁石１０２４とは、互いに、上面と下面の磁極の正負が、後述の右側分割飾り部１２０２の磁石の磁極の正負に対応して反対に設定されている。例えば、磁石１００９は、上面が正極（Ｎ極）に、下面が負極（Ｓ極）にそれぞれ設定される。また、磁石１０２４は、上面が負極（Ｓ極）に、下面が正極（Ｎ極）にそれぞれ設定されている。
【００５８】
図１６に示す眼鏡装飾物品１２００は、眼鏡１０２０における眼鏡フレーム１００１の上部（眉側部分）の形状において、ブリッジ部１００４を境とする左側の形状に沿うが、この形状とは異なったデザインの左側分割飾り部１２０１と、ブリッジ部１００４を境とする右側の形状に沿うが、この形状とは異なったデザインの右側分割飾り部１２０２とを有する。これらの左側分割飾り部１２０１と右側分割飾り部１２０２には、同一または異なった色彩、同一または異なったデザインが施される。また、これらの左側分割飾り部１２０１及び右側分割飾り部１２０２において、前記第９の実施の形態の飾り部１１０１(図１３)と同様な部分は、同一の符号を付すことにより説明を省略する。
【００５９】
上記左側分割飾り部１２０１には、延長部分１１０２と反対側の端部に止め金具を備えた延長部分１２０３が形成され、この延長部分１２０３の止め金具に円板形状の磁石１２０５が埋設される。また、上記右側分割飾り部１２０２には、延長部分１１０３と反対側の端部に止め金具を備えた延長部分１２０４が形成され、この延長部分１２０４の止め金具に円板形状の磁石１２０６が埋設される。
【００６０】
左側分割飾り部１２０１における両端の磁石１１０４、１２０５は互いに、上面と下面の磁極の正負が反対に設定されている。例えば、磁石１１０４は、上面が負極（Ｓ極）に、下面が正極（Ｎ極）にそれぞれ設定される。また、磁石１２０５は、上面が正極（Ｎ極）に、下面が負極（Ｓ極）にそれぞれ設定される。更に、右側分割飾り部１２０２における両端の磁石１１０５、１２０６は互いに、上面と下面の磁極の正負が反対に設定されている。例えば、磁石１１０５は、上面が正極（Ｎ極）に、下面が負極（Ｓ極）にそれぞれ設定される。また、磁石１２０６は、上面が負極（Ｓ極）に、下面が正極（Ｎ極）にそれぞれ設定されている。
【００６１】
左側分割飾り部１２０１を眼鏡１０２０の眼鏡フレーム１００１の左側上部（左眉側部分）に取り付ける際には、左側分割飾り部１２０１の延長部分１１０２は、眼鏡フレーム１００１における智１００５の下方または上方に選択して位置づけられ、また、左側分割飾り部１２０１の延長部分１２０３も、眼鏡フレーム１００１における止め金具１０２１の下方または上方に選択して位置づけられる。
【００６２】
左側分割飾り部１２０１の延長部分１１０２が眼鏡フレーム１００１における智１００５の下方に位置づけられる時に、左側分割飾り部１２０１の磁石１１０４の上面が、眼鏡フレーム１００１の磁石１００８の下面に磁力により結合される。また、左側分割飾り部１２０１の延長部分１１０２が眼鏡フレーム１００１における智１００５の上方に位置づけられる時に、左側分割飾り部１２０１の磁石１１０４の下面が、眼鏡フレーム１００１の磁石１００８の上面に磁力により結合される。更に、左側分割飾り部１２０１の延長部分１２０３が眼鏡フレーム１００１における止め金具１０２１の下方に位置づけられる時に、左側分割飾り部１２０１の磁石１２０５の上面が、眼鏡フレーム１００１の磁石１０２３の下面に磁力により結合される。また、左側分割飾り部１２０１の延長部分１２０３が眼鏡フレーム１００１における止め金具１０２１の上方に位置づけられる時に、左側分割飾り部１２０１の磁石１２０５の下面が、眼鏡フレーム１００１の磁石１０２３の上面に磁力により結合される。
【００６３】
右側分割飾り部１２０２を眼鏡１０２０の眼鏡フレーム１００１の右側上部（右眉側部分）に取り付ける際には、右側分割飾り部１２０２の延長部分１１０３は、眼鏡フレーム１００１における智１００６の下方または上方に選択して位置づけられ、また、右側分割飾り部１２０２の延長部分１２０４も、眼鏡フレーム１００１における止め金具１０２２の下方または上方に選択して位置づけられる。
【００６４】
右側分割飾り部１２０２の延長部分１１０３が眼鏡フレーム１００１における智１００６の下方に位置づけられる時には、右側分割飾り部１２０２の磁石１１０５の上面が、眼鏡フレーム１００１の磁石１００９の下面に磁力により結合される。また、右側分割飾り部１２０２の延長部分１１０３が眼鏡フレーム１００１における智１００６の上方に位置づけられる時には、右側分割飾り部１２０２の磁石１１０５の下面が、眼鏡フレーム１００１の磁石１００９の上面に磁力により結合される。更に、右側分割飾り部１２０２の延長部分１２０４が眼鏡フレーム１００１における止め金具１０２２の下方に位置づけられる時には、右側分割飾り部１２０２の磁石１２０６の上面が、眼鏡フレーム１００１の磁石１０２４の下面に磁力により結合される。また、右側分割飾り部１２０２の延長部分１２０４が眼鏡フレーム１００１における止め金具１０２２の上方に位置づけられる時には、右側分割飾り部１２０２の磁石１２０６の下面が、眼鏡フレーム１００１の磁石１０２４の上面に磁力により結合される。
【００６５】
このようにして、眼鏡装飾物品１２００におけるに左側分割飾り部１２０１、右側分割飾り部１２０２を、眼鏡１０２０の眼鏡フレーム１００１における左側上部（左眉側部分）、右側上部（右眉側部分）にそれぞれ取り付けることで、特に、左側分割飾り部１２０１と右側分割飾り部１２０２間で色彩やデザインが異なる場合には、前記第９の実施の形態(図１３〜図１５)以上の多彩なバリエーションを、左側分割飾り部１２０１、右側分割飾り部１２０２を備えた眼鏡１０２０に与えることができる。
【００６６】
また、眼鏡装飾物品１２００の左側分割飾り部１２０１、右側分割飾り部１２０２を眼鏡１０２０の眼鏡フレーム１００１に対して丁度重なるように配置したり、高さを変えて配置したり、斜めに配置することにより、眼鏡１０２０に異なった印象を付与でき、特に、左側分割飾り部１２０１、右側分割飾り部１２０２を眼鏡フレーム１００１に対して個別に斜めに配置することで、つり目（アンガーフェイス）やたれ目（サッドフェイス）を表現でき、眼鏡装用者の好みやファションセンスのみならず、感情をも表現することができる。
【００６７】
〔Ｋ〕第１１の実施の形態
図１８〜図１９は、本発明に係る眼鏡装飾物品の第１１の実施の形態を示す。
図１８に示す眼鏡装飾物品１３００を取り付ける眼鏡は、図１９に示すように、前記第９の実施の形態の眼鏡１０００(図１４)と同様に構成されるため、同一の符号を付すことにより説明を省略する。図１８に示すように、上記眼鏡装飾物品１３００は、眼鏡フレーム１００１の上部（眉側部分）の形状に沿うが、この形状とは異なった庇１３０２を備える飾り部１３０１を有して構成されている。
【００６８】
上記庇１３０２は、眼鏡装飾物品１３００が眼鏡１０００に取り付けられた際に、レンズ１００２に入射する光の一部を遮る機能を有する部分であり、レンズ１００２に対し前方に突出する薄板状に形成され、飾り部１３０１の長手方向ほぼ全長に亘り形成される。更に、この庇１３０２は、図１８（Ｃ）に示すように、眼鏡装飾物品１３００が眼鏡１０００に取り付けられた状態で、この眼鏡１０００の前方へ延出した状態に構成される。また、飾り部１３０１の両端には、前記第９の実施の形態と同様に延長部分１１０２、１１０３が設けられ、これらの延長部分１１０２、１１０３に止め金具１１０６を介して、第９の実施の形態と同様に磁石１１０４、１１０５が設置される。
【００６９】
この眼鏡装飾物品１３００を眼鏡１０００の眼鏡フレーム１００１の上部（眉側部分）に取り付ける際にも、眼鏡装飾物品１３００の延長部分１１０２は、眼鏡フレーム１００１における磁石１００８の下方または上方に選択して位置づけられ、眼鏡装飾物品１３００の延長部分１１０３は、眼鏡フレーム１００１における磁石１００９の下方または上方に選択して位置づけられる。図１９（Ａ）および（Ｂ）は、眼鏡装飾物品１３００の延長部分１１０２、１１０３が眼鏡フレーム１００１における智１００５、１００６のそれぞれ下方に位置づけられた場合を２点鎖線で示す。眼鏡装飾物品１３００が眼鏡１０００にこのように取り付けられることによって、上方及び側方からレンズに入射する太陽光などの光が遮られて、まぶしさが軽減される。
【００７０】
また、本実施の形態では、眼鏡装飾物品１３００の飾り部１３０１における庇１３０２を、当該眼鏡装飾物品１３００が眼鏡１０００に取り付けられた状態で、この眼鏡１０００の後方へ延出させ、または眼鏡１０００の前方側から後方側へ延出させて、庇１３０２の後端縁を眼鏡装用者の額に近づけるようにしてもよい。これにより、フレームと顔との間から入る光も遮ることができると共に、防塵効果を発揮することが可能となる。
【００７１】
或いは、図１９（Ｃ）の二点鎖線に示すように、眼鏡フレーム１００１の上部（眉側部分）の形状に沿った眼鏡装飾物品１３００の飾り部１３０１を、上下が逆になるように回転させて眼鏡フレーム１００１の下部（頬側部分）に取り付けてもよい。特に、この眼鏡装飾物品１３００の場合には、上述のように取り付けることで、例えば雪面にて反射した太陽光などの光を遮光することができる。
なお、このとき眼鏡フレーム１００１の磁石１００８、１００９は、互いに、上面と下面の磁極の正負が、眼鏡装飾物品１３００の磁石１１０４、１１０５における磁極の正負に対応して反対に設定（例えば、磁石１００８は、上面が負極（Ｓ極）に、下面が正極（Ｎ極）に設定され、磁石１００９は、上面が正極（Ｎ極）に、下面が負極（Ｓ極）に設定）されると、一つの眼鏡装飾物品１３００を、眼鏡フレーム１００１の上部と下部のどちらにも装着することができるので好ましい。
【００７２】
以上、本発明を上記実施の形態に基づいて説明したが、本発明はこれに限定されるものではない。例えば、上記実施の形態では、眼鏡装飾物品の飾り部は、眼鏡フレームの上部（眉側部分）の形状に沿って形成され、且つこの上部（眉側部分）に取り付けられるものを述べたが、眼鏡フレームの下部（頬側部分）の形状に沿って形成され、且つこの下部（頬側部分）に取り付けられるものでもよい。
また、一つに眼鏡フレームに対して、上部及び下部のそれぞれに眼鏡装飾物品を取り付けても良い。
【図面の簡単な説明】
【００７３】
【図１】（Ａ）は、本発明に係る眼鏡装飾物品の第１の実施の形態を示し、磁石が飾り部の両端に埋め込まれ、この飾り部が眼鏡フレームと似た形状に設計された眼鏡装飾物品の平面図であり、（Ｂ）は、図１（Ａ）の眼鏡装飾物品の正面図である。
【図２】（Ａ）は、磁石が眼鏡フレームの結合部分に設置された止め金具に埋め込まれた眼鏡の平面図であり、（Ｂ）は、図２（Ａ）の眼鏡の正面図である。
【図３】（Ａ）は、図１の眼鏡装飾物品が磁石によって図２の眼鏡に取り付けられた状態を示す正面図であり、（Ｂ）は、図３（Ａ）の側面図である。
【図４】図３（Ａ）および（Ｂ）の眼鏡装飾物品を備えた眼鏡の平面図である。
【図５】（Ａ）は、本発明に係る眼鏡装飾物品の第２の実施の形態が取り付けられる眼鏡を示す正面図であり、（Ｂ）は、図５（Ａ）の側面図であり、（Ｃ）は、眼鏡装飾物品が眼鏡に取り付けられる状態を示す側面図である。
【図６】図５（Ａ）および（Ｂ）の眼鏡装飾物品を備えた眼鏡を示す平面図である。
【図７】（Ａ）は、本発明に係る眼鏡装飾物品の第３の実施の形態が取り付けられた眼鏡を示す正面図であり、（Ｂ）は、図７（Ａ）における飾り部を備えた眼鏡装飾物品を示す正面図である。
【図８】（Ａ）は、本発明に係る眼鏡装飾物品の第４の実施の形態が取り付けられた眼鏡を示す正面図であり、（Ｂ）は、図８（Ａ）における飾り部を備えた眼鏡装飾物品を示す正面図であり、（Ｃ）は、図８（Ａ）における眼鏡装飾物品の右側の延長部分と眼鏡の右側の結合部分との組みつけ状態を示す分解斜視図である。
【図９】（Ａ）は、本発明に係る眼鏡装飾物品の第５の実施の形態における飾り部を示す正面図であり、（Ｂ）は、図９（Ａ）の眼鏡装飾物品が取り付けられた眼鏡を示す正面図であり、（Ｃ）は、図９（Ｂ）の眼鏡装飾物品を備えた眼鏡を示す平面図であり、（Ｄ）は、図９（Ｂ）の９Ｄ‐９Ｄ線に沿う断面図である。
【図１０】（Ａ）は、本発明に係る眼鏡装飾物品の第６の実施の形態が取り付けられた眼鏡を示す正面図であり、（Ｂ）は、図１０（Ａ）における飾り部を備えた眼鏡装飾物品を示す正面図であり、（Ｃ）は、図１０（Ｂ）の眼鏡装飾物品における飾り部の延長部分を示す斜視図であり、（Ｄ）は、図１０（Ａ）の一部を下方から目視して示す底面図である。
【図１１】（Ａ）は、本発明に係る眼鏡装飾物品の第７の実施の形態を示す正面図であり、（Ｂ）は、図１１（Ａ）の飾り部を備えた眼鏡装飾物品が取り付けられた眼鏡を示す正面図であり、（Ｃ）は、図１１（Ｂ）の眼鏡装飾物品を備えた眼鏡を示す平面図であり、（Ｄ）は、図１１（Ｃ）における曲げられた延長部分を示す斜視図である。
【図１２】（Ａ）は、本発明に係る眼鏡装飾物品の第８の実施の形態が取り付けられた眼鏡を示す正面図であり、（Ｂ）は、図１２（Ａ）における飾り部を備えた眼鏡装飾物品を示す正面図であり、（Ｃ）は、図１２（Ａ）における眼鏡装飾物品を備えた眼鏡であり、一部を切り欠いて示す平面図であり、（Ｄ）は、図１２（Ａ）における眼鏡装飾物品の１２Ｄ‐１２Ｄ線に沿う断面図である。
【図１３】本発明に係る眼鏡装飾物品の第９の実施の形態を示し、（Ａ）が平面図であり、（Ｂ）が正面図である。
【図１４】図１３の眼鏡装飾物品が取り付けられる眼鏡を示し、（Ａ）が平面図であり、（Ｂ）が正面図である。
【図１５】図１３の眼鏡装飾物品が図１４の眼鏡に取り付けられた場合を示し、（Ａ）は、眼鏡の磁石の下方に眼鏡装飾物品の延長部分が結合された状態を示す正面図であり、（Ｂ）は、眼鏡の磁石の上方に眼鏡装飾物品の延長部分が結合された状態を示す正面図である。
【図１６】本発明に係る眼鏡装飾物品の第１０の実施の形態を示し、（Ａ）が平面図であり、（Ｂ）が正面図である。
【図１７】図１６の眼鏡装飾物品が取り付けられる眼鏡を示し、（Ａ）が平面図であり、（Ｂ）が上記眼鏡装飾物品を２点鎖線で表示した眼鏡の正面図である。
【図１８】本発明に係る眼鏡装飾物品の第１１の実施の形態を示し、（Ａ）が平面図であり、（Ｂ）が正面図であり、（Ｃ）が側面図である。
【図１９】図１８の眼鏡装飾物品が取り付けられる眼鏡を示し、（Ａ）が上記眼鏡装飾物品を２点鎖線で表示した眼鏡の平面図であり、（Ｂ）および（Ｃ）が上記眼鏡装飾物品を２点鎖線で表示した眼鏡の正面図である。
【符号の説明】
【００７４】
１００  眼鏡装飾物品
１０１  飾り部
１０２、１０５  延長部分
１０３、１０６  止め金具
１０４、１０７  磁石
２００  眼鏡
２０１  眼鏡フレーム
２０２、２０５  智
２０３、２０６  止め金具
２０４、２０７  磁石
２０９  レンズ
３００  眼鏡装飾物品
３０１  飾り部
３０２、３０４  延長部分
３０６、３０８  磁石
３１４  眼鏡フレーム
３１０、３１２  智
３１１、３１２  磁石
３５０  眼鏡装飾物品
３５１  飾り部
３５２、３５４  延長部分
３５６、３５８  磁石
３６０  眼鏡フレーム
３６２、３６４  智
３７０  眼鏡装飾物品
３７１  飾り部
３７２  ブリッジ部分
３７４、３７６  延長部分
３７８、３８０  磁石
３８２  眼鏡フレーム
３８６  ブリッジ部
４００  眼鏡装飾物品
４０１  飾り部
４０２  ブリッジ部分
４０４、４０６  延長部分
４０８、４１０  磁石
４１２  眼鏡フレーム
４１４  ブリッジ部
５００  眼鏡
５０１  眼鏡フレーム
５０２、５０４  智
５０３、５０５  スリット
５０６、５０７  磁石
６００  眼鏡装飾物品
６０１  飾り部
６０６、６０７  磁石
７００  眼鏡装飾物品
７０１  飾り部
７０２、７０３  延長部分
７０４  眼鏡フレーム
７０５、７０６  智
８００  眼鏡装飾物品
８０１  飾り部
８０２、８０３  延長部分
８０４、８０５  延長部分
８０６、８１０  智
８０７  眼鏡フレーム
８０８  止め金具
８０９、８１２  磁石
１０００  眼鏡
１００１  眼鏡フレーム
１００２  レンズ
１００７  止め金具
１００８、１００９  磁石
１０２０  眼鏡
１０２１、１０２２  止め金具
１０２３、１０２４  磁石
１１００  眼鏡装飾物品
１１０１  飾り部
１１０２、１１０３  延長部分
１１０４、１１０５  磁石
１２００  眼鏡装飾物品
１２０１  左側分割飾り部
１２０２  右側分割飾り部
１２０３、１２０４  延長部分
１２０５、１２０６  磁石
１３００  眼鏡装飾物品
１３０１  飾り部
１３０２  庇
【図１】
2006113549.tif 000003
【図２】
2006113549.tif 000004
【図３】
2006113549.tif 000005
【図４】
2006113549.tif 000006
【図５】
2006113549.tif 000007
【図６】
2006113549.tif 000008
【図７】
2006113549.tif 000009
【図８】
2006113549.tif 000010
【図９】
2006113549.tif 000011
【図１０】
2006113549.tif 000012
【図１１】
2006113549.tif 000013
【図１２】
2006113549.tif 000014
【図１３】
2006113549.tif 000015
【図１４】
2006113549.tif 000016
【図１５】
2006113549.tif 000017
【図１６】
2006113549.tif 000018
【図１７】
2006113549.tif 000019
【図１８】
2006113549.tif 000020
【図１９】
2006113549.tif 000021